(57)【要約】【課題】押しボタンスイッチにおいて，ハウジング内に浸水があっても，一対の固定接点間での短絡を防ぎ得るようにする。【解決手段】押しボタンスイッチのハウジング１に，その内部を上部室１０ａ及び下部室１０ｂに仕切る隔壁８を形成すると共に，これら二室１０ａ，１０ｂに一対の固定接点部材２，２をそれぞれ配置し，可動接点部材３，３に，押しボタン４の進退に応じて可動接点部材３，３を固定接点部材２，２に接離させ，且つその離間を空中で行わしめる突起１６，１６を隔壁８に形成した。【選択図】      図３
2005078852.tif 000002
【特許請求の範囲】
【請求項１】
ハウジング（１）と，このハウジング（１）の内に配設される一対の固定接点部材（２，２）と，前記ハウジング（１）に進退可能に嵌合される押しボタン（４）と，この押しボタン（４）に連結され，この押しボタン（４）の進退に応じて前記一対の固定接点部材（２，２）に接・離して前記両固定接点部材（２，２）間をオン・オフする可動接点部材（３，３）とを備えた，押しボタンスイッチにおいて，
前記ハウジング（１）に，その内部を二室（１０，１１；１０ａ，１０ｂ）に仕切る隔壁（８，３１）を形成すると共に，これら二室（１０，１１；１０ａ，１０ｂ）に前記一対の固定接点部材（２，２）をそれぞれ配置し，前記可動接点部材（３，３）に，押しボタン（４）の進退に応じて可動接点部材（３，３）を前記固定接点部材（２，２）に接離させ，且つその離間を空中で行わしめるオン・オフ制御手段（１６，３２）を接続したことを特徴とする，押しボタンスイッチ。
【請求項２】
請求項１記載の押しボタンスイッチにおいて，
前記二室を，上下に並ぶ上部室（１０）及び下部室（１１）とすると共に，その上部室（１０）に，前記一対の固定接点部材（２，２）のうちの高電位側のものを配置したことを特徴とする，押しボタンスイッチ。
【請求項３】
請求項１又は２記載の押しボタンスイッチにおいて，
前記押しボタン（４）の前進限界手前の一定ストローク（Ｌ）で前記可動接点部材（３，３）が前記固定接点部材（２，２）の表面をワイピングするように前記オン・オフ制御手段（１６，３２）を構成したことを特徴とする，押しボタンスイッチ。
【発明の詳細な説明】
【技術分野】
【０００１】
本発明は，ハウジングと，このハウジングの内に配設される一対の固定接点部材と，前記ハウジングに進退可能に嵌合される押しボタンと，この押しボタンに連結され，この押しボタンの進退に応じて前記一対の固定接点部材に接・離して前記両固定接点部材間をオン・オフする可動接点部材とを備えた，押しボタンスイッチの改良に関する。
【背景技術】
【０００２】
かゝる押しボタンスイッチは，特許文献１に開示されているように，既に知られている。
【特許文献１】特許３１１８０８６号公報
【発明の開示】
【発明が解決しようとする課題】
【０００３】
従来のかゝる押しボタンスイッチでは，一対の固定接点をハウジング内の底面に並べて配置しているため，ハウジング内に浸水があった場合には，その水により両固定接点間が短絡する虞がある。
【０００４】
本発明は，かゝる事情に鑑みてなされたもので，ハウジング内に浸水があっても，両固定接点間での短絡を防ぎ得るようにした，前記押しボタンスイッチを提供することを目的とする。
【課題を解決するための手段】
【０００５】
上記目的を達成するために，本発明は，ハウジングと，このハウジングの内に配設される一対の固定接点部材と，前記ハウジングに進退可能に嵌合される押しボタンと，この押しボタンに連結され，この押しボタンの進退に応じて前記一対の固定接点部材に接・離して前記両固定接点部材間をオン・オフする可動接点部材とを備えた，押しボタンスイッチにおいて，前記ハウジングに，その内部を二室に仕切る隔壁を形成すると共に，これら二室に前記一対の固定接点部材をそれぞれ配置し，前記可動接点部材に，押しボタンの進退に応じて可動接点部材を前記固定接点部材に接離させ，且つその離間を空中で行わしめるオン・オフ制御手段を接続したことを第１の特徴とする。
【０００６】
尚，前記オン・オフ制御手段は，後述する本発明の実施例中の突起１６及びオン・オフ制御部材３２に対応する。
【０００７】
また本発明は，第１の特徴に加えて，前記二室を，上下に並ぶ上部室及び下部室とすると共に，その上部室に，前記一対の固定接点部材のうちの高電位側のものを配置したことを第２の特徴とする。
【０００８】
さらに本発明は，第１又は第２の特徴に加えて，前記押しボタンの前進限界手前の一定ストロークで前記可動接点部材が前記固定接点部材の表面をワイピングするように前記オン・オフ制御手段を構成したことを第３の特徴とする。
【発明の効果】
【０００９】
本発明の第１の特徴によれば，一対の固定接点部材は，ハウジングの，隔壁で仕切られる二室にそれぞれ配置されて，互いに隔離されるので，ハウジング内に浸水があっても，両固定接点部材間での短絡を前記隔壁により防ぎことができ，押しボタンスイッチの被水耐久性の向上を図ることができる。
【００１０】
また本発明の第２の特徴によれば，ハウジングに多量の水が浸入した場合でも，上部室には浸水し難く，したがって浸水による両固定接点部材間での短絡をより確実に防ぎことができる。しかも水没し難い上部室の固定接点部材は高電位側のものであるから，下部室の低電位側の固定接点部材が，この押しボタンスイッチを保持するスイッチホルダの下部と共に水没しても，固定接点部材及びスイッチホルダの電蝕を防ぐことができ，耐電蝕性の向上に寄与し得る。
【００１１】
さらに本発明の第３の特徴によれば，ワイピング効果により固定接点部材及び可動接点部材間に良好な接触状態を確保して，接触不良を防ぐことができる。
【発明を実施するための最良の形態】
【００１２】
本発明の実施の形態を，添付図面に示す本発明の好適な実施例に基づいて以下に説明する。
【００１３】
図１は本発明の第１実施例に係る押しボタンスイッチを装着した自動二輪車の操向ハンドル周りの断面図，図２は上記ボタンスイッチの分解斜視図，図３は同ボタンスイッチをオフ状態で示すの拡大縦断側面図，図４は同ボタンスイッチのオン開始点を示す，図３との対応図，図５同ボタンスイッチのオン最終点を示す，図３との対応図，図６は図３の６−６線断面図，図７は図６の７−７線断面図，図８はボタンスイッチのオン最終点を示す，図７との対応図，図９は図３の９−９線断面図，図１０は図７の１０−１０線断面図，図１１は本発明の第２実施例の係るボタンスイッチの縦断側面図，図１２は図１１の１２−１２線断面図，図１３は図１１の１３−１３線断面図，図１４は本発明の第３実施例に係るボタンスイッチを，オフ状態で示す縦断側面図，図１５は同ボタンスイッチのオン状態を示す，図１４との対応図である。
【００１４】
先ず，図１〜図１０に示す本発明の第１実施例の説明より始める。
【００１５】
図１及び図２において，自動二輪車の棒状の操向ハンドルＨに取り付けられるスイッチホルダＤに押しボタンスイッチＳが装着される。この押しボタンスイッチＳは，具体的には図示例のホーンスイッチやスタータスイッチ等に使用される。
【００１６】
この押しボタンスイッチＳは，ハウジング１と，このハウジング１に固定される上下一対の固定接点部材２，２と，これら固定接点部材２，２と協働する上下一対の可動接点部材３，３と，これら可動接点部材３，３を操作する押しボタン４と，この押しボタン４を後退方向に付勢する戻しばね５とを備えており，ハウジング１はビス１４によりスイッチホルダＤに固定される。
【００１７】
図２〜図６に示すように，前記ハウジング１は，上壁６ａ，下壁６ｂ及び左右の側壁６ｃ，６ｃの４壁からなる断面方形の周壁６と，この周壁６の後端に一体に連結した後壁７とからなっており，その前面は開放されている。このハウジング１には，後壁７の内面から起立すると共に，左右の側壁６ｃ，６ｃ相互を連結する隔壁８が一体に形成され，この隔壁８によってハウジング１内は上部室１０及び下部室１１に仕切られ，少なくとも上部室１０の底面，即ち隔壁８の上面１２の中央部１２ａは，その両側より一段高くなっていて，その中央部１２ａには万一浸入した水が溜まらないようになっている。また下壁６ｂには，下部室１１に浸入した水を排出するための水抜き孔１３が設けられる。
【００１８】
隔壁８の前端部には，その前面に開口するばね保持孔１５と，このばね保持孔１５を挟んで上下に突出する一対の突起１６，１６とが設けられる。
【００１９】
前記固定接点部材２，２は，それぞれ板状の接点部２ａ，２ａと，これら接点部２ａ，２ａの外端にクランク状に屈曲して連なる端子部２ｂ，２ｂとからなっており，両固定接点部材２，２は，それらの接点部２ａ，２ａが前記隔壁８の上面及び下面にそれぞれ重なるように，ハウジング１の後壁７に取り付けられる。その際，特に上方の固定接点部材２の接点部２ａは，隔壁８の上面１２の，一段高い中央部１２ａに重ねられる。したがって，中央部１２ａ上の接点部２ａには，万一浸入した水は溜まらない。
【００２０】
図９に示すように，上記固定接点部材２，２のハウジング１への取り付けは，ハウジング１の後壁７に設けられた取り付け孔２０に接点部２ａを圧入すると共に，取り付け孔２０内面の係止凹部２１に接点部２ａの両側縁の係止爪２２を係合することで行われる。
【００２１】
図２〜図８において，前記押しボタン４は，ハウジング１の周壁６に対応して断面方形をなしており，その後端部には四つの角から押しボタン４の摺動方向に突出する四本のガイド脚４ａ，４ａ…が形成され，またその後端部上面には位置決め突起４ｂが突設され，さらに後端部の左右側面には爪部を外側方に向けたストッパ爪４ｃ，４ｃが形成される（特に図７及び図８参照）。
【００２２】
而して，ガイド脚４ａ，４ａ…はハウジング１内の四隅に摺動可能に嵌合される。また位置決め突起４ｂは，ハウジング１の上壁６ａ内面に形成された位置決め溝２７に係合され，押しボタン４の誤組立を防ぐようになっている。さらにストッパ爪４ｃ，４ｃは，ハウジング１の左右の側壁６ｃ，６ｃに形成された行き止まり孔１８，１８に挿入されると共に，これら行き止まり孔１８，１８から左右の側壁６ｃ，６ｃの外面に開口するストローク規制孔１９，１９に爪部が摺動自在に係合され，これらストローク規制孔１９，１９の前方内端にストッパ爪４ｃ，４ｃが当接することにより，押しボタン４の後退位置が規制される（図７参照）。
【００２３】
図２及び図１０に明示するように，前記可動接点部材３，３は，板ばね材より一体に構成される。即ち，両可動接点部材３，３は，連結板２３の上下両縁から後方へ延出するように形成され，それぞれの後端には円弧状の接点部３ａ，３ａが，また中間部には頂点を互いに離間する方向に向けた山形屈曲部３ｂ，３ｂがそれぞれ形成されており，これら可動接点部材３，３には，これらを互いに近接方向に付勢する弾性が付与される。一方，連結板２３の左右両側縁には，前方へ屈曲した一対の取り付け片２３ａ，２３ａが形成され，これら取り付け片取り付け片２３ａ，２３ａを，押しボタン４の背面に形成される左右一対の取り付け孔２４，２４に圧入すると共に，各取り付け片２３ａの両側縁の係止爪２５，２５を，各取り付け孔２４内面の係止凹部２６，２６に係合することにより，両可動接点部材３，３は押しボタン４に取り付けられる。
【００２４】
再び図３〜図６に示すように，両可動接点部材３，３は，押しボタン４がハウジング１内に挿入されたとき，隔壁８を上下から挟圧するようにして上部室１０及び下部室１１にそれぞれ収容される。
【００２５】
而して，押しボタン４の後退位置では，隔壁８の上下の突起１６，１６が山形屈曲部３ｂ，３ｂの前端部に係合して，両可動接点部材３，３を固定接点部材２，２から離間させて，押しボタンスイッチＳをオフ状態（図３参照）とし，押しボタン４を前進させると，突起１６，１６が山形屈曲部３ｂ，３ｂの頂点側に相対的に移動するため，両可動接点部材３，３が自己の弾性により固定接点部材２，２に圧接して，押しボタンスイッチＳをオン状態（図４及び図５参照）とするようになっている。その際，連結板２３が隔壁８の前端に当接することで，押しボタン４の前進限が規制される（図８参照）。
【００２６】
前記戻しばね５は圧縮コイルばねで構成される。この戻しばね５の一端部は，隔壁８の保持孔１５に挿入され，他端部は，押しボタン４を後退方向に付勢するように可動接点部材３，３の連結板２３に圧接する。
【００２７】
再び図１において，上側の固定接点部材２の端子部２ｂはバッテリ２８の（＋）極に接続され，下側の固定接点部材２の端子部２ｂは，電気負荷２９を介してバッテリ２８の（−）極に接続される。
【００２８】
次に，この実施例の作用について説明する。
【００２９】
押しボタンスイッチＳのオフ状態では，押しボタン４が戻しばね５の付勢力により後退位置に保持される。このとき両可動接点部材３，３は，山形屈曲部３ｂ，３ｂの前端部を隔壁８の上下の突起１６，１６に係合することで，接点部３ａ，３ａを固定接点部材２，２から空中で離間させている。したがって，電気負荷２９は作動しない。
【００３０】
ところで，一対の固定接点部材２，２は，ハウジング１の，隔壁８で仕切られる上部室１０及び下部室１１にそれぞれ配置されるので，万一，ハウジング１に多量の水が浸入した場合でも，上部室１０には浸水し難く，したがって浸水による両固定接点部材２，２間での短絡を確実に防ぎことができる。また可動接点部材３，３は，これらと対向する固定接点部材２，２から空中で離間しているので，固定接点部材２，２及び可動接点部材３，３間の空中絶縁距離を充分に確保でき，これらによりボタンスイッチＳの被水耐久性の向上を図ることができる。
【００３１】
しかも，水没し難い上側の固定接点部材２はバッテリ２８の（＋）極に接続されるので，バッテリ２８の（−）極に接続される下側の固定接点部材２がスイッチホルダＤの下部と共に水没しても，固定接点部材２及びスイッチホルダＤの電蝕を防ぐことができ，これにより耐電蝕性を高めることができる。
【００３２】
押しボタン４を，図３の状態から図４の状態に戻しばね５の付勢力に抗して前方へ押圧すると，隔壁８の上下の突起１６，１６が山形屈曲部３ｂ，３ｂの頂点側に相対的に移動して両可動接点部材３，３が自己の弾性により固定接点部材２，２に圧接して，両固定接点部材２，２間を導通させ，押しボタンスイッチＳはオン状態となる。そして押しボタン４が更に前進して，図５の状態の前進限に達するまで，両可動接点部材３，３の接点部３ａ，３ａは，両固定接点部材２，２の表面を擦るので，このワイピング効果により固定接点部材２，２及び可動接点部材３，３間に良好な接触状態を確保することができ，したがって電気負荷２９を確実に作動させることができる。図５中の符号Ｌは，可動接点部材３，３のワイピングストロークを示す。
【００３３】
また押しボタン４を戻しばね５の付勢力で前進限から後退させるときでも，可動接点部材３，３は，隔壁８の突起１６，１６より固定接点部材２，２から離間されるまでは，接点部３ａ，３ａが固定接点部材２，２の表面を擦るので，こゝでもワイピング効果が得られる。
【００３４】
次に，図１１〜図１３に示す本発明の第２実施例について説明する。
【００３５】
ハウジング１には，上部室１０を左室１０ａ及び右室１０ｂに仕切る第２の隔壁８が形成されると共に，これら左室１０ａ及び右室１０ｂの各底面は，第２の隔壁８側の上段３０ａと，左右の側壁６ｃ，６ｃ側の下段３０ｂの二段に形成され，それらの上段３０ａ，３０ａに，後壁７に取り付けられた左右一対の固定接点部材２，２の接点部２ａ，２ａが配設される。また左右一対の可動接点部材３，３は，左室１０ａ及び右室１０ｂに挿入され，これら可動接点部材３，３の開閉を制御する左右一対の突起１６，１６が左室１０ａ及び右室１０ｂにおいて隔壁８の前端部上面に形成される。
【００３６】
その他の構成は，前実施例と同様であるので，図１１〜図１３中，前実施例と対応する部分には同一の参照符号を付して，その説明を省略する。
【００３７】
この第２実施例によれば，一対の固定接点部材２，２は，ハウジング１の上部室１０を小隔壁３１により仕切られた左室１０ａ及び右室１０ｂにそれぞれ配置されるので，左室１０ａ及び右室１０ｂには浸水し難く，しかも両固定接点部材２，２は小隔壁３１により隔絶されることで，被水耐久性及び耐電食性を高めることができる。
【００３８】
最後に，図１４及び図１５に示す本発明の第３実施例について説明する。
【００３９】
この第３実施例は，左右の固定接点部材２，２を，左右の可動接点部材３，３の上方に配置し，押しボタン４の進退の応じて可動接点部材３，３を固定接点部材２，２に接離させるオン・オフ制御部材３２をハウジング１の上壁６ａに取り付けた点を除けば，前記第２実施例と同様の構成であり，図１４及び図１５中，前記第２実施例と対応する部分には，同一の参照符号を付して，その説明を省略する。
【００４０】
本発明は上記実施例に限定されるものではなく，その要旨を逸脱しない範囲で種々の設計変更が可能である。
【図面の簡単な説明】
【００４１】
【図１】本発明の第１実施例に係る押しボタンスイッチを装着した自動二輪車の操向ハンドル周りの断面図。
【図２】上記ボタンスイッチの分解斜視図。
【図３】同ボタンスイッチをオフ状態で示すの拡大縦断側面図。
【図４】同ボタンスイッチのオン開始点を示す，図３との対応図。
【図５】同ボタンスイッチのオン最終点を示す，図３との対応図。
【図６】図３の６−６線断面図。
【図７】図６の７−７線断面図。
【図８】ボタンスイッチのオン最終点を示す，図７との対応図。
【図９】図３の９−９線断面図。
【図１０】図７の１０−１０線断面図。
【図１１】本発明の第２実施例の係るボタンスイッチの縦断側面図。
【図１２】図１１の１２−１２線断面図。
【図１３】図１１の１３−１３線断面図。
【図１４】本発明の第３実施例に係るボタンスイッチを，オフ状態で示す縦断側面図。
【図１５】同ボタンスイッチのオン状態を示す，図１４との対応図。
【符号の説明】
【００４２】
Ｓ・・・・押しボタンスイッチ
Ｌ・・・・ワイピングストローク
１・・・・ハウジング
２・・・・固定接点部材
３・・・・可動接点部材
４・・・・押しボタン
８・・・・隔壁
１０，１１・・・・・二室（上部室，下部室）
１０ａ，１０ｂ・・・二室（左室，右室）
１６・・・オン・オフ制御手段（突起）
３１・・・隔壁（小隔壁）
３２・・・オン・オフ制御手段（オン・オフ制御部材）
【図１】
2005078852.tif 000003
【図２】
2005078852.tif 000004
【図３】
2005078852.tif 000005
【図４】
2005078852.tif 000006
【図５】
2005078852.tif 000007
【図６】
2005078852.tif 000008
【図７】
2005078852.tif 000009
【図８】
2005078852.tif 000010
【図９】
2005078852.tif 000011
【図１０】
2005078852.tif 000012
【図１１】
2005078852.tif 000013
【図１２】
2005078852.tif 000014
【図１３】
2005078852.tif 000015
【図１４】
2005078852.tif 000016
【図１５】
2005078852.tif 000017